【手続補正書】
【提出日】平成15年11月4日(2003.11.4)
【手続補正１】
【補正対象書類名】明細書
【補正対象項目名】特許請求の範囲
【補正方法】変更
【補正の内容】
【特許請求の範囲】
【請求項１】
現在日時を計時する計時手段と、
上記計時手段で計時している現在日時が所定の日時に至ったか否かを判別する判別手段と、
上記判別手段により上記所定の日時に至ったと判別された際に、上記計時手段における現在時刻を所定時間ずらす現在時刻変更手段と、
上記現在時刻変更手段によって現在時刻を所定時間ずらした場合に、用紙にメッセージ印字を行う印字手段と、
を具備することを特徴とする時刻切替装置。
【請求項２】
現在日時を計時する計時手段と、
上記計時手段で計時している現在日時が、現在時刻を所定時間ずらすべき日時の所定日時前に至ったか否かを判別する第１の判別手段と、
上記第１の判別手段により上記所定日時前に至ったと判別された場合に、用紙にメッセージ印字を行う印字手段と、
上記計時手段で計時している現在日時が、上記現在時刻を所定時間ずらすべき日時に至ったか否かを判別する第２の判別手段と、
上記第２の判別手段により上記現在時刻を所定時間ずらすべき日時に至ったと判別された際に、上記計時手段における現在時刻を所定時間ずらす現在時刻変更手段と、
を具備することを特徴とする時刻切替装置。
【請求項３】
現在日時を計時する計時手段と、
上記計時手段で計時している現在日時が、所定の日時に至ったか否かを判別する第１の判別手段と、
上記第１の判別手段により上記所定の日時に至ったと判別された際に、上記計時手段における現在時刻を所定時間ずらす現在時刻変更手段と、
上記計時手段での計時結果に基づいて、上記現在時刻変更手段により現在時刻を所定時間ずらしてから所定時間が経過したか否かを判別する第２の判別手段と、
上記第２の判別手段により上記所定時間が経過したと判別されるまで、売上データを印字した用紙に対し、現在時刻を所定時間ずらしたことのメッセージ印字を行う印字手段と、
を具備することを特徴とする時刻切替装置。
【請求項４】
現在日時を計時する計時手段と、
上記計時手段で計時している現在日時が、所定の日時に至ったか否かを判別する判別手段と、
上記判別手段により上記所定の日時に至ったと判別された際に、上記計時手段における現在時刻を所定時間ずらす現在時刻変更手段と、
時間帯別に集計した集計データを印字する印字手段と、
上記印字手段による集計データの印字の際に、上記現在時刻変更手段により現在時刻を所定時間ずらした際の時間を識別する識別データを印字するよう制御する印字制御手段と、
を具備することを特徴とする時刻切替装置。
【請求項５】
所定の日時に現在時刻を所定時間ずらす際に、
現在日時が上記所定の日時に至ったか否かを判別する処理と、
上記所定の日時に至ったと判別された際に、現在日時を計時する計時手段における現在時刻を所定時間ずらす処理と、
現在時刻を所定時間ずらした場合に、用紙にメッセージ印字を行う処理と、
をコンピュータに実行させる命令を含むプログラムを格納した、コンピュータが読み取り可能な記録媒体。
【請求項６】
予め決められた日時に現在時刻を所定時間ずらす際に、
現在日時が上記予め決められた日時の所定日時前に至ったか否かを判別する処理と、
上記所定日時前に至ったと判別された場合に、用紙にメッセージ印字を行う処理と、
現在日時が上記予め決められた日時に至ったか否かを判別する処理と、
上記予め決められた日時に至ったと判別された際に、現在日時を計時する計時手段における現在時刻を所定時間ずらす処理と、
をコンピュータに実行させる命令を含むプログラムを格納した、コンピュータが読み取り可能な記録媒体。
【請求項７】
所定の日時に現在時刻を所定時間ずらす際に、
現在日時が上記所定の日時に至ったか否かを判別する処理と、
上記所定の日時に至ったと判別された際に、現在日時を計時する計時手段における現在時刻を所定時間ずらす処理と、
上記計時手段での計時結果に基づいて、上記現在時刻を所定時間ずらしてから所定時間が経過したか否かを判別する処理と、
上記所定時間が経過したと判別されるまで、売上データを印字した用紙に対し、現在時刻を所定時間ずらしたことのメッセージ印字を行う処理と、
をコンピュータに実行させる命令を含むプログラムを格納した、コンピュータが読み取り可能な記録媒体。
【請求項８】
所定の日時に現在時刻を所定時間ずらす際に、
現在日時が上記所定の日時に至ったか否かを判別する処理と、
上記所定の日時に至ったと判別された際に、現在日時を計時する計時手段における現在時刻を所定時間ずらす処理と、
時間帯別に集計した集計データを印字するときに、上記現在時刻を所定時間ずらした際の時間を識別する識別データを印字する処理と、
をコンピュータに実行させる命令を含むプログラムを格納した、コンピュータが読み取り可能な記録媒体。
【手続補正２】
【補正対象書類名】明細書
【補正対象項目名】００１０
【補正方法】変更
【補正の内容】
【００１０】
【課題を解決するための手段】
請求項１の発明の手段は次の通りである。
時刻切替装置は、計時手段と、判別手段と、現在時刻変更手段と、印字手段とを具備することを特徴とする。
計時手段は、現在日時を計時する。
判別手段は、上記計時手段で計時している現在日時が所定の日時に至ったか否かを判別する。
現在時刻変更手段は、上記判別手段により上記所定の日時に至ったと判別された際に、上記計時手段における現在時刻を所定時間ずらす。
印字手段は、上記現在時刻変更手段によって現在時刻を所定時間ずらした場合に、用紙にメッセージ印字を行う。


【手続補正３】
【補正対象書類名】明細書
【補正対象項目名】００１１
【補正方法】変更
【補正の内容】
【００１１】
また、請求項５の発明の手段は次の通りである。
コンピュータが読み取り可能な記録媒体は、所定の日時に現在時刻を所定時間ずらす際に、以下の処理をコンピュータに実行させる命令を含むプログラムを格納する。
第１の処理は、現在日時が上記所定の日時に至ったか否かを判別する処理である。
第２の処理は、上記所定の日時に至ったと判別された際に、現在日時を計時する計時手段における現在時刻を所定時間ずらす処理である。
第３の処理は、現在時刻を所定時間ずらした場合に、用紙にメッセージ印字を行う処理である。


【手続補正４】
【補正対象書類名】明細書
【補正対象項目名】００１２
【補正方法】変更
【補正の内容】
【００１２】
請求項１及び請求項５の発明の手段の作用は次の通りである。
現在時刻を所定時間ずらすべき所定の日時に至った際に、現在時刻を上記所定時間ずらすと共に、用紙にメッセージ印字をするようにしている。
従って、時間切替え時でも時間帯合計を正しい時間配分で印字でき、それにより、時間切替による時間ずれを認識させ、混乱を防ぐことができる。


【手続補正５】
【補正対象書類名】明細書
【補正対象項目名】００１３
【補正方法】変更
【補正の内容】
【００１３】
また、請求項２の発明の手段は次の通りである。
時刻切替装置は、計時手段と、第１の判別手段と、印字手段と、第２の判別手段と、現在時刻変更手段とを具備することを特徴とする。
計時手段は、現在日時を計時する。
第１の判別手段は、上記計時手段で計時している現在日時が、現在時刻を所定時間ずらすべき日時の所定日時前に至ったか否かを判別する。
印字手段は、上記第１の判別手段により上記所定日時前に至ったと判別された場合に、用紙にメッセージ印字を行う。
第２の判別手段は、上記計時手段で計時している現在日時が、上記現在時刻を所定時間ずらすべき日時に至ったか否かを判別する。
現在時刻変更手段は、上記第２の判別手段により上記現在時刻を所定時間ずらすべき日時に至ったと判別された際に、上記計時手段における現在時刻を所定時間ずらす。


【手続補正６】
【補正対象書類名】明細書
【補正対象項目名】００１４
【補正方法】変更
【補正の内容】
【００１４】
また、請求項６の発明の手段は次の通りである。
コンピュータが読み取り可能な記録媒体は、予め決められた日時に現在時刻を所定時間ずらす際に、以下の処理をコンピュータに実行させる命令を含むプログラムを格納する。
第１の処理は、現在日時が上記予め決められた日時の所定日時前に至ったか否かを判別する処理である。
第２の処理は、上記所定日時前に至ったと判別された場合に、用紙にメッセージ印字を行う処理である。
第３の処理は、現在日時が上記予め決められた日時に至ったか否かを判別する処理である。
第４の処理は、上記予め決められた日時に至ったと判別された際に、現在日時を計時する計時手段における現在時刻を所定時間ずらす処理である。


【手続補正７】
【補正対象書類名】明細書
【補正対象項目名】００１５
【補正方法】変更
【補正の内容】
【００１５】
請求項２及び請求項６の発明の手段の作用は次の通りである。
現在時刻を所定時間ずらすべき所定の日時の所定日時前に至った際に、用紙にメッセージ印字を行い、その後、上記現在時刻を所定時間ずらすべき所定の日時に至った際には、現在時刻を所定時間ずらす。
従って、時間切替えを行うことを事前に警告でき、それにより、時間切替による時間ずれを認識させ、混乱を防ぐことができる。